(57)【要約】      （修正有）【課題】衛生用物品収納棚に関し、簡単な構造で、特定メーカーの衛生用物品（衛生用物品の容器）に限定されること無く、経済的、品質的に優れた衛生用物品を選択することが出来、使い勝手に優れた衛生用物品収納棚を提供する。【解決手段】数種類の衛生用物品の容器を収納する複数個の収納空間と、複数個の収納空間に収納された衛生用物品の容器の製品取り出し口に対応する位置に形成された複数個のアクセス開口部を有し、少なくとも一つのアクセス開口部は所定範囲閉塞可能なスライド板３にて閉塞され、スライド板３は、閉塞されるアクセス開口部より小さく、衛生用物品の容器の製品取り出し口に対応する大きさの第３アクセス開口部２５を有し、アクセス開口部内におけるアクセス補助開口部の位置が変更可能となるよう構成されているものである。【選択図】図５
2016086843.tif 000002
【特許請求の範囲】
【請求項１】
数種類の衛生用物品の容器を収納する複数個の収納空間と、複数個の収納空間に収納された衛生用物品の容器の製品取り出し口に対応する位置に形成された複数個のアクセス開口部を有し、少なくとも一つのアクセス開口部は所定範囲閉塞可能なスライド板にて閉塞され、スライド板は、閉塞されるアクセス開口部より小さく、衛生用物品の容器の製品取り出し口に対応する大きさの第２アクセス開口部を有し、アクセス開口部内におけるアクセス補助開口部の位置が変更可能となるよう構成されていることを特徴とする衛生用物品収納棚。
【請求項２】
アクセス開口部が収納棚の扉体に形成されていることを特徴とする請求項１に記載の衛生用物品収納棚。
【請求項３】
扉体は表面板開口部を有する表面板と、表面板の裏面側に位置する化粧板より構成され、化粧板は、表面板開口部を閉塞すると共に、複数個のアクセス開口部を有し、少なくとも一つのアクセス開口部は所定範囲閉塞可能なスライド板にて閉塞され、スライド板は閉塞されるアクセス開口部より小さく、衛生用物品の容器の製品取り出し口に対応する大きさのアクセス補助開口部を有し、アクセス開口部内におけるアクセス補助開口部の位置が変更可能となるよう構成されていることを特徴とする請求項２に記載の衛生用物品収納棚。
【発明の詳細な説明】
【技術分野】
【０００１】
本発明は、衛生性又は抗菌性をより容易に維持するために使用される医療用エプロン、マスク、手袋などの衛生用物品を収納、取り出すための衛生用物品収納棚に関するものである。
【背景技術】
【０００２】
従来から、衛生用物品収納棚は、数種の衛生用物品の製品容器を収納しておくため複数の収納空間部を設け、この収納空間に衛生用物品の製品容器を収納し、この製品容器の製品取り出し口にアクセスできるよう収納空間部にアクセス用開口部を構成していた。
そして、製品取り出し口とアクセス用開口部はほぼ同形に形成されていた。（例えば特許文献１）
【０００３】
一方、衛生用物品はメーカーによって、その製品容器（特に、医療用エプロン）の大きさ、製品取り出し口の位置、形状が大きく異なっている。
このため、従来のようなアクセス開口部の位置、形状が予め設定されていると、それに適応したメーカーの衛生用物品を使用しなければならず、品質に優れた安価な他メーカーの衛生用物品を採用することが出来ず、患者にとっても、病院側の経費の面からも好ましくなかった。
【先行技術文献】
【特許文献】
【０００４】
【特許文献１】特表２００９−５３９４５８号公報
【発明の概要】
【発明が解決しようとする課題】
【０００５】
本発明は、従来の問題点に鑑みて、簡単な構造で、特定メーカーの衛生用物品（衛生用物品の容器）に限定されること無く、経済的、品質的に優れた衛生用物品を選択することが出来る、使い勝手に優れた衛生用物品収納棚を提供することを課題とする。
【課題を解決するための手段】
【０００６】
上記課題を解決する為、本発明が第１の手段として構成したところは、数種類の衛生用物品の容器を収納する複数個の収納空間と、複数個の収納空間に収納された衛生用物品の容器の製品取り出し口に対応する位置に形成された複数個のアクセス開口部を有し、少なくとも一つのアクセス開口部は所定範囲閉塞可能なスライド板にて閉塞され、スライド板は、閉塞されるアクセス開口部より小さく、衛生用物品の容器の製品取り出し口に対応する大きさのアクセス補助開口部を有し、アクセス開口部内におけるアクセス補助開口部の位置が変更可能となるよう構成されているものである。
【０００７】
次に、上記課題を解決する為、本発明が第２の手段として構成したところは、第１の手段として構成したところに加え、アクセス開口部が収納棚の扉体に形成されているものである。
【０００８】
次に、上記課題を解決する為、本発明が第３の手段として構成したところは、第２の手段として構成したところに加え、扉体は表面板開口部を有する表面板と、表面板の裏面側に位置する化粧板より構成され、化粧板は、表面板開口部を閉塞すると共に、複数個のアクセス開口部を有し、少なくとも一つのアクセス開口部は所定範囲閉塞可能なスライド板にて閉塞され、スライド板は閉塞されるアクセス開口部より小さく、衛生用物品の容器の製品取り出し口に対応する大きさのアクセス補助開口部を有し、アクセス開口部内におけるアクセス補助開口部の位置が変更可能となるよう構成されているものである。
【発明の効果】
【０００９】
本発明が第１の手段として構成したところによると、少なくとも一つのアクセス開口部を所定範囲閉塞可能なスライド板にて閉塞し、スライド板には閉塞されるアクセス開口部より小さく、衛生用物品の容器の製品取り出し口に対応する大きさのアクセス補助開口部を形成し、アクセス開口部内におけるアクセス補助開口部の位置を変更可能としているので、特定メーカーの衛生用物品（衛生用物品の容器）に限定されること無く、経済的、品質的に優れた衛生用物品を選択でき、その製品の容器の製品取り出し口の位置に対応して、アクセス補助開口部の位置を変更できるので、使い勝手が良く、意匠的にも優れた衛生用物品収納棚を提供することが出来る。
【００１０】
本発明が第２の手段として構成したところによると、上記効果に加え、アクセス開口部が収納棚の扉体に形成されているので、扉体の開閉によって、衛生用物品の容器の取り出し、取替えが簡単で、スライド板の操作も容易に行うことが出来る。
【００１１】
本発明が第３の手段として構成したところによると、上記効果に加え、扉体の表面は、表面板と、化粧板と、スライド板が露見するので、それぞれの色彩を選択することで、収納棚の意匠性の向上を図ることが出来る。
【図面の簡単な説明】
【００１２】
【図１】スライド板が上方に移動した状態の本発明の正面略図。
【図２】スライド板が下方に移動した状態の本発明の正面略図。
【図３】図１のＡ−Ａ線断面略図。
【図４】図１のＢ−Ｂ線断面略図。
【図５】図３のＣ部拡大図。
【図６】図４のＤ部拡大図。
【図７】第２実施例の正面略図。
【図８】図７のＥ−Ｅ線断面略図における部分拡大図。
【図９】図８のＦ−Ｆ線断面略図。
【発明を実施するための最良の形態】
【００１３】
数種類の衛生用物品の容器を収納する複数個の収納空間と、複数個の収納空間に収納された衛生用物品の容器の製品取り出し口に対応する位置に形成された複数個のアクセス開口部を有し、少なくとも一つのアクセス開口部は所定範囲閉塞可能なスライド板にて閉塞され、スライド板は、閉塞されるアクセス開口部より小さく、衛生用物品の容器の製品取り出し口に対応する大きさのアクセス補助開口部を有し、アクセス開口部内におけるアクセス補助開口部の位置が変更可能で、アクセス開口部が収納棚の扉体に形成され、扉体は表面板開口部を有する表面板と、表面板の裏面側に位置する化粧板より構成され、化粧板は、表面板開口部を閉塞すると共に、複数個のアクセス開口部を有し、少なくとも一つのアクセス開口部は所定範囲閉塞可能なスライド板にて閉塞され、スライド板は閉塞されるアクセス開口部より小さく、衛生用物品の容器の製品取り出し口に対応する大きさのアクセス補助開口部を有し、アクセス開口部内におけるアクセス補助開口部の位置が変更可能となるよう構成されているものである。
【実施例】
【００１４】
以下、第１実施例を添付図面に基づいて詳述する。
図１、図２、図３、図４において、符号１００は、本発明の衛生用物品収納棚を示している。
衛生用物品収納棚１００は、壁面等の開口部に、開口部側正面から嵌合し、壁面内部の建築用スタッド等に連結される、前面が開口する、縦長箱形の収納棚本体１と、収納棚本体１の開口部を開閉自在とする扉体２より構成されている。
【００１５】
収納棚本体１は、左右側板１１、１１と、左右側板１１、１１の後端部間に連設された後板１２と、左右側板１１、１１の下端部と、後板１２の下端部間に連設された底板１３と、左右側板１１、１１の上端部と、後板１２の上端部間に連設された天板１４と、左右側板１１、１１の内面上下方向に所定間隔を有して設けられた複数個の棚受け部材１５・
・・と、左右の棚受け部材１５、１５間に配設された棚板１６・・・と、棚板１６・・・
上に配設された左右一対の左右仕切り板１７・・・、１８・・・等より構成されている。
【００１６】
そして、左右側板１１、１１には、上下方向に所定間隔を有して、収納棚本体１を壁面内部の建築用スタッド等に連結するための連結用凹部１１１、１１１が設けられている。
又、棚受け部材１５の上下取り付け位置は、異なる種類の衛生用物品をどの位置に収納するかによって異なるが、本実施例では、上段の棚板１６上の空間をもっとも小さくして、マスクの収納容器の収納箇所とし、中段の棚板１６上の空間をやや大きく構成して手袋の収納容器の収納箇所とし、下段の棚板１６上の空間を最も大きく構成してエプロンの収納容器の収納箇所としている。
【００１７】
一方、同じ種類の製品の容器であってもメーカーごとに外形寸法が異なっているが、出願人の調査によると、製品取り出し口は、容器の巾寸法の中央部に設けられていることは一致している。したがって、棚板１６・・・上に設けられた左右仕切り板１７・・・、１８・・・は、収納された容器の製品取り出し口を収納棚１００の巾方向の中央部に位置させ（見栄えが良い。）、容器から製品を取り出すごとに容器が移動しないよう、下面に粘着テープ１７０・・・を貼付して棚板１６上に取り付け、製品の容器を挟持している。
【００１８】
左右仕切り板１７、１８は対向した同形に形成され、上段の左右仕切り板１７、１８が、他の段の仕切り板１７，１８より奥行き方向に大きく形成されているが、収納される容器に対応しているだけで、得に意味はない。
当然ながら、仕切り板１７，１８は、テープ１７０にて棚板１６に貼付しているため、前後左右任意の位置で取り付けることができるので、上段の左右仕切り板１７、１８と他の段の仕切り板１７，１８同じ奥行き寸法にしても何ら問題はない。
したがって、一方側の仕切り板１７についてのみ説明する。
仕切り板１７は、下面に粘着テープ１７０が貼付され、棚板１６上に着脱可能に接着される接地部１７１と、設置部１７１の左側端部から上方に突出し、容器の左側側面に接触する側方規制部１７２と、側方規制部１７２の後端部から内側に突出し、容器の後端面に接触する後方規制部１７３より構成され、容器の大きさに対応して棚板１６上に着脱可能に取り付けられる。
【００１９】
棚受け部材１５は、収納棚本体１の左右側板１１と連結される連結部１５１と、左右側板１１の内側に所定の間隙を有して上方に突出する棚板係止突部１５２より構成され、棚板１６は、所定の厚みを有し、前記左右側板１１と棚板係止突部１５２間の所定の間隙に嵌入係止する左右下向き係止突片１６１、１６１を有している。
【００２０】
第１実施例では、扉体２は、正面中央部に形成された表面板開口部２１０有する表面板２１と、表面板２１の裏面側に位置する化粧板２２より構成され、収納棚本体１に兆番２０を介して開閉自在に取り付けられ、錠前２００と、収納棚本体１に設けられた錠前係り２０１にて施開錠可能としている。
表面板２１は、収納棚本体１の上下前端部の縁部を覆う上下突出縁部２１１、２１１を上下端部に有し、正面中央部に形成された表面板開口部２１０は、上中下段の収納空間３０、３１、３２が臨む大きさの巾方向中央部で、収納棚本体１の半分程度の大きさに形成されている。
【００２１】
化粧板２２は、前記表面板開口部２１０を閉塞する大きさで、表面板２１の裏面の上下端部側に設けられた上下支持片２１２、２１２（図６に示す。）と、左右端部側に設けられた左右補強材２２２、２２２（図５に示す。）と、左右補強材２２２、２２２にネジ止めされる連結支持金具２２３（図５に示す。）によって、表面板２１の裏面側に取り付けられている。
そして、化粧板２２には、数種類の衛生用物品の容器が収納された上中下段の収納空間３０、３１、３２に対応して、衛生用物品の容器の製品取り出し口に対応する位置に複数個の第１アクセス開口部２３、第２アクセス開口部２４、第３アクセス開口部２５が形成されている。
【００２２】
出願人の調査によると、特に病院で使用されるマスクと手袋は、メーカーが違っていても、その製品の容器の大きさ、形状、製品取り出し口の形状、その位置はほぼ同じであり、アクセス開口部は同じ位置、形状で対応することが出来る。
したがって、実施例では、第１アクセス開口２３と、第２アクセス開口２４は、巾方向で表面板開口部２１０よりやや小さく、収納空間３０、３１の中央部に位置する半分程度高さを有して、同一形状に形成されている。
【００２３】
一方、エプロンの場合、容器の大きさ、形状、製品取り出し口の形状、その高さ位置（容器の高さ方向の中央部、あるいは、上端部に設けられているものもがある。）は、メーカー毎に違っているがあるが、製品取り出し口そのもの巾寸法はほぼ一つの大きさで対応することが出来る。
したがって、実施例では、各メーカーの製品の容器のすべての製品取り出し口が臨む高さ寸法の第３アクセス開口部２５を下段の収納空間３２が臨む位置、大きさに形成している。
【００２４】
そして、化粧板２２の下方部裏面側に、第３アクセス開口部２５を所定範囲閉塞可能なスライド板３が設けられている。
スライド板３は、第３開口部２５の巾寸法に一致し、各メーカーの容器の製品取り出し口そのものの高さ寸法を網羅する高さ寸法のアクセス補助開口部３００を高さ方向略中央部に有し、スライド装置５を介して上下方向にスライド可能に設けられている。
【００２５】
スライド装置５は、化粧板２２の左右端部の裏面側で上下方向に形成された左右スライド案内溝５０、５０と、スライド板３の上下左右の、表面側４隅に設けられた同一構造の被案内部５１・・・より構成されている。
被案内部５１は、先端がスライド板３の表面より突出して、前記案内溝５０に嵌入し、後端が円形の保持凹部５１０の中央部に保持された案内ピン５１１と、案内ピン５１１に外嵌し、先端が座金５１２を介して、化粧板２２の裏面に弾性的に圧接するスプリングバネ５１３より構成され、スライド板３は、化粧板２２と共に連結支持金具２２３によって扉体２の裏面側に取り付けられる。
【００２６】
すなわち、スライド板３はスライド装置５によって常に化粧板２２の裏面側で、弾性的に圧接しながら上下にスライド可能に構成されているので、製品取り出し口３０１（図１に仮想線で示す。）が第３アクセス開口部２５の上部に位置するときは、扉体２を開放した状態で、スライド板３のアクセス補助開口部３００が第３開口部２５の上方に位置するようスプリングバネ５１３の弾性に抗して移動させ、第３開口部２５の製品の取り出し口３０１以外の部分を閉塞する。（第１図に示す状態。）
これによって、下段の収納空間３２は、必要箇所（製品取り出し口３０１）以外は閉塞されるので見栄えが良い。
【００２７】
又、製品取り出し口３０１（図２に仮想線で示す）が第３アクセス開口部２５の下部に位置するときは、上記とは逆に、アクセス補助開口部３００が第３アクセス開口部２５の下方に位置するよう移動させればよい。（図２に示す状態。）
すなわち、各メーカーの製品の容器の製品取り出し口３０１の高さに対応してスライド板３をスライドさせることで、異なった容器にも対応可能となり、アクセス補助開口部３００以外の第３アクセス開口部２５が閉塞されるので、ごみ，ほこり等の進入を阻止し、衛生的に使用することが出来る。
【００２８】
次に第２実施例について説明する。
第２実施例は、図７から図９に示すように、扉体２には第１実施例の表面板開口部２１０を設けず、代わりに、第１実施例の化粧板２２に形成された第１アクセス開口部２３、第２アクセス開口部２４、第３アクセス開口部２５に相当する上アクセス開口部２３０、中アクセス開口部２４０、下アクセス開口部２５０を形成している。
そしてスライド板３には第１実施例と同様アクセス補助開口部３００が形成され、表面板２１の裏面側でスライド装置６を介して上下方向にスライド可能に設けられている。
【００２９】
スライド装置６は、左右端面側の上下端部４隅に設けられ弾性圧接部６１と、左右補強材２２２、２２２と、左右補強材２２２、２２２にネジ止めされる連結支持金具２２３によって形成される左右スライド案内溝６２、６２より構成されている。
弾性圧接部６１は、湾曲した板バネ材よりなり頂部が左右補強材２２２、２２２の左右側端面に弾性的に圧接する構成で、所望高さでスライド板３を保持し、アクセス補助開口部３００の高さ位置を選択可能としている。
【符号の説明】
【００３０】
１            収納棚本体
１００        衛生用物品収納棚
２            扉体
２２          化粧板
２３          第１アクセス開口部
２４          第２アクセス開口部
２５          第３アクセス開口部
２１０        表面板開口部
３            スライド板
３０          上段の収納空間
３１          中段の収納空間
３２          下段の収納空間
３００        アクセス補助開口部上中下段の収納空間
３０１        製品取り出し口
【図１】
2016086843.tif 000003
【図２】
2016086843.tif 000004
【図３】
2016086843.tif 000005
【図４】
2016086843.tif 000006
【図５】
2016086843.tif 000007
【図６】
2016086843.tif 000008
【図７】
2016086843.tif 000009
【図８】
2016086843.tif 000010
【図９】
2016086843.tif 000011